(57)【特許請求の範囲】
【請求項１】
扉框の下部に取り付けられる框取付部材及び扉の下部に取り付けられる扉取付部材からなり、該框取付部材に下枢軸を立設すると共に框取付部材に該下枢軸に挿通してカム受体を固定し、扉取付部材に該下枢軸に回動自在に上方から挿通されると共に下端面をカム当面に形成した軸受筒体を固定し、カム受体と軸受筒体との間に上端面を該カム当面に摺接可能なカム面に形成したカム筒体を該下枢軸に回動及び摺動自在に上方から挿通し、該カム受体とカム筒体との間にカム筒体をカム受体に対して回動位置変更自在に係留可能な係留機構を備えてなり、上記カム筒体と上記下枢軸との間に該カム筒体の下枢軸への挿通を許容すると共に過大な抜取力以下の力によってはカム筒体の下枢軸からの抜脱を阻止可能な抜脱防止機構を配設してなり、上記抜脱防止機構として、上記下枢軸の下部に径小部を形成して係止段面を形成し、上記カム筒体の内周面にカム筒体の下枢軸への上方からの挿通時において下枢軸の外周面による圧接によって凹み動作すると共に径小部到達位置において凸動作して係止段面に係止可能な弾性凸部を形成してなることを特徴とする蝶番。
【請求項２】
上記係留機構として、上記カム筒体の下面及び上記カム受体の上面を相互に当接可能な当接面に形成し、該各当接面に中心から放射状に延びて並列する略三角形状の複数個の凸部及び凹部からなる相互に咬合可能なラチェット爪面を形成してなることを特徴とする請求項１記載の蝶番。
【発明の詳細な説明】
【０００１】
【発明の属する技術分野】
本発明は例えば公衆トイレ等の扉の取り付けに用いられる所謂中芯吊型グラビティヒンジと称される蝶番に関するものである。
【０００２】
【従来の技術】
従来、この種の蝶番として、扉框の下部に取り付けられる框取付部材及び扉の下部に取り付けられる扉取付部材からなり、框取付部材に下枢軸を立設すると共に框取付部材に下枢軸に挿通してカム受体を固定し、扉取付部材に該下枢軸に回動自在に上方から挿通されると共に下端面をカム当面に形成した軸受筒体を固定し、カム受体と軸受筒体との間に上端面を該カム当面に摺接可能なカム面に形成したカム筒体を該下枢軸に回動及び摺動自在に上方から挿通し、該カム受体とカム筒体との間にカム筒体をカム受体に対して回動位置変更自在に係留可能な係留機構を備えてなる構造のものが知られている。
【０００３】
しかして、扉框の上部と扉の上部との間に配設された他の蝶番との協働及び上記軸受筒体のカム当面とカム筒体のカム面との摺接作用により扉体を扉体の自重をもって戻り回動させると共にカム筒体をカム受体に対して相対的に回動位置変更することにより扉の戻り位置を変更して常開用蝶番や常閉用蝶番に変更設定し得るように構成されている。
【０００４】
【発明が解決しようとする課題】
しかしながら上記従来構造の場合、カム筒体は下枢軸に対して現場施工時において挿通して使用され、よって、カム筒体を蝶番の一部品として他の部品とは別途保管され施工現場に携行され、このため、カム筒体の携行忘れや紛失を生じ易く、又、カム受体に対して相対的に回動位置変更するとき、カム筒体を下枢軸から抜き取ってしまうこともあり、よって、再度、下枢軸にカム筒体を上方から挿通しなければならず、それだけ扉取付及び上記変更設定の作業性が低下することがあるという不都合を有している。
【０００５】
【課題を解決するための手段】
本発明はこれらの不都合を解決することを目的とするもので、本発明のうちで、請求項１記載の発明は、扉框の下部に取り付けられる框取付部材及び扉の下部に取り付けられる扉取付部材からなり、該框取付部材に下枢軸を立設すると共に框取付部材に該下枢軸に挿通してカム受体を固定し、扉取付部材に該下枢軸に回動自在に上方から挿通されると共に下端面をカム当面に形成した軸受筒体を固定し、カム受体と軸受筒体との間に上端面を該カム当面に摺接可能なカム面に形成したカム筒体を該下枢軸に回動及び摺動自在に上方から挿通し、該カム受体とカム筒体との間にカム筒体をカム受体に対して回動位置変更自在に係留可能な係留機構を備えてなり、上記カム筒体と上記下枢軸との間に該カム筒体の下枢軸への挿通を許容すると共に過大な抜取力以下の力によってはカム筒体の下枢軸からの抜脱を阻止可能な抜脱防止機構を配設してなり、上記抜脱防止機構として、上記下枢軸の下部に径小部を形成して係止段面を形成し、上記カム筒体の内周面にカム筒体の下枢軸への上方からの挿通時において下枢軸の外周面による圧接によって凹み動作すると共に径小部到達位置において凸動作して係止段面に係止可能な弾性凸部を形成してなることを特徴とする蝶番にある。
【０００６】
又、請求項２記載の発明は、上記係留機構として、上記カム筒体の下面及び上記カム受体の上面を相互に当接可能な当接面に形成し、該各当接面に中心から放射状に延びて並列する略三角形状の複数個の凸部及び凹部からなる相互に咬合可能なラチェット爪面を形成してなることを特徴とするものである。
【０００７】
【発明の実施の形態】
図１乃至図１２は本発明の実施の形態例を示し、１は框取付部材であって、ステンレス製にして側面Ｌ形状に形成され、框取付部材１の縦辺部１ａを扉框Ｍの下部側端面に皿ネジ等により取付固定するように構成されている。
【０００８】
２は扉取付部材であって、ステンレス製にして平板状に形成され、扉Ｄの底端面に皿ネジ等により取付固定される。
【０００９】
この框取付部材１の横辺部１ｂに下枢軸３を圧入により立設すると共に框取付部材１の横辺部１ｂの上面に下枢軸３に挿通して合成樹脂製のカム受体４を回止部５をもって固定し、扉取付部材２に下枢軸３に回動自在に上方から挿通されると共に下端面を底谷部６ａ及び底頂部６ｂからなる斜面状のカム当面６に形成した合成樹脂製の軸受筒体７を筒金具８により固定している。
【００１０】
９はカム筒体であって、この場合、合成樹脂製にして、カム受体４と軸受筒体７との間にして下枢軸３に回動及び摺動自在に上方から挿通され、カム筒体９の上端面を上記斜面状のカム当面６に摺接する頂部１０ａ及び谷部１０ｂをもつ斜面状のカム面１０に形成し、かつ、谷部１０ｂを指標とする１５度刻みの角度目盛Ｋをカム受体４の上面に形成している。
【００１１】
１１は係留機構であって、この場合、上記カム筒体９の下面及び上記カム受体４の上面を相互に当接可能な当接面１２・１３に形成し、各当接面１２・１３に中心から放射状に延びて並列する略三角形状の複数個の凸部１４ａ・１５ａ及び凹部１４ｂ・１５ｂからなる相互に咬合可能なラチェット爪面１４・１５を形成し、しかして、カム筒体９を下枢軸３上に摺動して持ち上げ、ラチェット爪面１４をカム受体４のラチェット爪面１５から離反させ、この状態でカム筒体９を下枢軸３上で回動させ、任意の回動位置において、カム筒体９を下方に摺動してラチェット爪面１４をラチェット爪面１５に係合し、これによりカム筒体９をカム受体４に対して回動位置変更自在に構成している。
【００１２】
１６は抜脱防止機構であって、この場合、図１２の如く、上記下枢軸３の下部に径小部３ａを形成して上部の径大部３ｂとの境に係止段面１７を形成し、径小部３ａの軸方向長さは少なくともカム筒体９を下枢軸３上で摺動して持ち上げてラチェット爪面１４をカム受体４のラチェット爪面１５から離反させるに必要な長さに設定され、カム筒体９の内周面にカム筒体９の下枢軸３への上方からの挿通時において下枢軸３の径大部３ｂの外周面による圧接によって凹み動作すると共に径小部３ａ到達位置において凸動作して係止段面１７に係止可能な弾性凸部１８を形成し、この弾性凸部１８の弾性作用は合成樹脂からなるカム筒体９の自己弾性によりもたらされ、しかして、弾性凸部１８の凹み動作によりカム筒体９の下枢軸３への挿通を許容すると共に弾性凸部１８と係止段面１７との当接により過大な抜取力以下の力によってはカム筒体９の下枢軸３からの抜脱を阻止するように構成している。
【００１３】
２１・２２はエッジ部材であって、ステンレス製にして、対向面は相互に湾曲して沿った形状の弧状面に形成され、扉框Ｍ及び扉Ｄの対向側面に取り付けられている。
【００１４】
２３は他の蝶番であって、この場合、扉框Ｍの上部に取り付けられるステンレス製の框取付部材２４及び扉Ｄの上部に取り付けられるステンレス製の扉取付部材２５からなり、框取付部材２４は側面Ｌ形状に形成され、框取付部材２４の縦辺部２４ａを扉框Ｍの上部側端面に皿ネジ等により取付固定し、扉取付部材２５は平板状に形成され、扉Ｄの上端面に皿ネジ等により取付固定され、框取付部材２４の横辺部２４ｂに上枢軸２６を圧入により垂設すると共に扉取付部材２５に上枢軸２６に回動及び上下摺動自在に下方から挿通される軸受筒２７を取付け、扉Ｄに上枢軸２６が遊挿通される逃げ穴Ｄ1を形成して構成している。
【００１５】
この実施の形態例の蝶番Ｌは上記構成であるから、図８の如く、常閉用蝶番に設定する場合は、図７の如く、カム筒体のカム面１０の谷部１０ｂをカム受体４の角度目盛Ｋの０度位置に合致させ、又、図１０の如く、常開用蝶番に設定する場合には、図９の如く、カム筒体のカム面１０の谷部１０ｂをカム受体４の角度目盛Ｋの１０５度位置に合致させることになり、しかして、常閉用蝶番に設定した場合、常態においては、扉Ｄは閉じ状態となり、扉Ｄを開き回動させると扉Ｄは下枢軸３及び上枢軸２６に沿って上昇し、扉Ｄの開き回動ののち釈放すると、斜面状のカム当面６と斜面状のカム面１０との摺接作用及び扉Ｄの自重により扉Ｄは自動的に閉じ復帰回動し、又、常開用蝶番に設定した場合、常態においては扉Ｄは開き状態となり、扉Ｄを閉じ回動回動させると扉Ｄは下枢軸３及び上枢軸２６に沿って上昇し、扉Ｄの閉じ回動ののち釈放すると、斜面状のカム当面６と斜面状のカム面１０との摺接作用及び扉Ｄの自重により扉Ｄは自動的に開き復帰回動することになる。
【００１６】
この常閉用蝶番又は常開用蝶番の変更設定にあっては、カム筒体４を下枢軸３上で摺動して持ち上げ、この場合、カム筒体９のラチェット爪面１４をカム受体４のラチェット爪面１５から離反させて係留機構１１を解除し、この状態でカム筒体９を下枢軸３上で回動させ、所定の回動位置において、カム筒体９を下方に摺動してラチェット爪面１４をラチェット爪面１５に係合し、この係留機構１１によりカム筒体９をカム受体４に対して回動位置変更することになり、この際、上記カム筒体９と上記下枢軸３との間に該カム筒体９の下枢軸３への挿通を許容すると共に過大な抜取力以下の力によってはカム筒体９の下枢軸３からの抜脱を阻止可能な抜脱防止機構１６を配設しているから、過大な抜取力以下の力によっては抜け外れることがなく、よって、カム筒体９を下枢軸３に対して予め挿通して置き、カム筒体９を下枢軸３と一体に組み付けて置くことができ、このため、カム筒体９の施工現場への搬入時の携行忘れや紛失を未然に回避することができ、カム筒体９を框取付部材１と一体の部品として保管することができ、又、カム受体に対して相対的に回動位置変更するとき、カム筒体９を下枢軸３から抜き取ってしまうことも防ぐことができ、それだけ扉取付及び上記変更設定の作業性を向上することができる。
【００１７】
又、この場合、上記抜脱防止機構１６として、図１２の如く、上記下枢軸３の下部に径小部３ａを形成して上部の径大部３ｂとの境に係止段面１７を形成し、カム筒体９の内周面にカム筒体９の下枢軸３への上方からの挿通時において下枢軸３の外周面による圧接によって凹み動作すると共に径小部３ａ到達位置において凸動作して係止段面１７に係止可能な弾性凸部１８を形成して構成しているから、弾性凸部１８の凹み動作によりカム筒体９を下枢軸３に挿通することができ、挿通後の径小部３ａ到達位置において弾性凸部１８は凸動作して係止段面１７に係止可能となり、この弾性凸部１８と係止段面１７との当接により過大な抜取力以下の力、すなわち、弾性凸部１８が凹み動作する力以下の力においては、カム筒体９の下枢軸３からの抜脱を阻止することができ、よって、抜脱防止機構１６の構造を簡素化することができると共に製作コストの低減を図ることができ、又、この場合、上記係留機構１１として、上記カム筒体９の下面及び上記カム受体４の上面を相互に当接可能な当接面１２・１３に形成し、各当接面１２・１３に中心から放射状に延びて並列する略三角形状の複数個の凸部１４ａ・１５ａ及び凹部１４ｂ・１５ｂからなる相互に咬合可能なラチェット爪面１４・１５を形成しているから、上記変更設定の際において、ラチェット爪面１４とラチェット爪面１５との離反に必要な摺動持ち上げ量を少なくでき、又、回動調節後はこの少ない分を摺動させるだけで、ラチェット爪面１４・１５を互いに咬合係止でき、それだけ位置決め変更設定の操作を容易に行うことができ、作業性を向上することができると共にコスト低減を図ることができ、略三角形状の複数個の凸部１４ａ・１５ａ及び凹部１４ｂ・１５ｂにより各当接面１２・１３の係止がなされ、カム筒体９とカム請受体４との固定を確実にすることができる。
【００１８】
尚、本発明は上記実施の形態例に限られるものではなく、係留機構１１、抜脱防止機構１６等の構造は適宜変更して設計される。
【００１９】
【発明の効果】
本発明は上述の如く、請求項１記載の発明にあっては、カム筒体と下枢軸との間にカム筒体の下枢軸への挿通を許容すると共に過大な抜取力以下の力によってはカム筒体の下枢軸からの抜脱を阻止可能な抜脱防止機構を配設しているから、過大な抜取力以下の力によっては抜け外れることがなく、よって、カム筒体を下枢軸に対して予め挿通して置き、カム筒体を下枢軸と一体に組み付けて置くことができ、このため、カム筒体の施工現場への搬入時の携行忘れや紛失を未然に回避することができ、カム筒体を框取付部材と一体の部品として保管することができ、又、カム受体に対して相対的に回動位置変更するとき、カム筒体を下枢軸から抜き取ってしまうことも防ぐことができ、それだけ扉や扉框への取付け及び常閉用蝶番や常開用蝶番への変更設定の作業性を向上することができ、かつ、上記抜脱防止機構として、上記下枢軸の下部に径小部を形成して係止段面を形成し、カム筒体の内周面にカム筒体の下枢軸への上方からの挿通時において下枢軸の外周面による圧接によって凹み動作すると共に径小部到達位置において凸動作して係止段面に係止可能な弾性凸部を形成して構成しているから、弾性凸部の凹み動作によりカム筒体を下枢軸に挿通することができ、挿通後の径小部到達位置において弾性凸部は凸動作して係止段面に係止可能となり、この弾性凸部と係止段面との当接により過大な抜取力以下の力、すなわち、弾性凸部が凹み動作する過大な力以下の力においては、カム筒体の下枢軸からの抜脱を阻止することができ、よって、抜脱防止機構の構造を簡素化することができると共に製作コストの低減を図ることができる。
【００２０】
又、請求項２記載の発明にあっては、上記係留機構として、上記カム筒体の下面及び上記カム受体の上面を相互に当接可能な当接面に形成し、各当接面に中心から放射状に延びて並列する略三角形状の複数個の凸部及び凹部からなる相互に咬合可能なラチェット爪面を形成しているから、上記変更設定の際において、ラチェット爪面相互の離反に必要な持ち上げ量を少なくでき、又、回動調節後はこの少ない分を摺動させるだけで、ラチェット爪面を互いに咬合係止でき、それだけ位置決め変更設定の操作を容易に行うことができ、作業性を向上することができると共にコスト低減を図ることができ、略三角形状の複数個の凸部及び凹部により各当接面の係止がなされ、カム筒体とカム請受体との固定を確実にすることができる。
【００２１】
以上、初期の目的を充分達成することができる。
【図面の簡単な説明】
【図１】  本発明の実施の形態例の断面図である。
【図２】  本発明の実施の形態例の分解斜視図である。
【図３】  本発明の実施の形態例の分解斜視図である。
【図４】  本発明の実施の形態例の平断面図である。
【図５】  本発明の実施の形態例の扉上部側の他の蝶番の側面図である。
【図６】  本発明の実施の形態例の扉上部側の他の蝶番の分解斜視図である。
【図７】  本発明の実施の形態例の常閉状態の平断面図である。
【図８】  本発明の実施の形態例の常閉状態の平断面図である。
【図９】  本発明の実施の形態例の常開状態の平断面図である。
【図１０】  本発明の実施の形態例の常開状態の平断面図である。
【図１１】  本発明の実施の形態例の部分拡大断面図である。
【図１２】  本発明の実施の形態例の部分拡大断面図である。
【符号の説明】
Ｄ  扉
Ｍ  扉框
１  框取付部材
２  扉取付部材
３  下枢軸
４  カム受体
６  カム当面
７  軸受筒体
９  カム筒体
１０  カム面
１１  係留機構
１２  当接面
１３  当接面
１４  ラチェット爪面
１４ａ  凸部
１４ｂ  凹部
１５  ラチェット爪面
１５ａ  凸部
１５ｂ  凹部
１６  抜脱防止機構
１７  係止段面
１８  弾性凸部
【図１】
0003937271.tif 000002
【図２】
0003937271.tif 000003
【図３】
0003937271.tif 000004
【図４】
0003937271.tif 000005
【図５】
0003937271.tif 000006
【図６】
0003937271.tif 000007
【図７】
0003937271.tif 000008
【図８】
0003937271.tif 000009
【図９】
0003937271.tif 000010
【図１０】
0003937271.tif 000011
【図１１】
0003937271.tif 000012
【図１２】
0003937271.tif 000013